(57)【要約】【課題】  複数の炊飯器に対して１つの洗米装置で洗米した米を供給するようにした洗米機において、該洗米機の占有面積を小さくする。【解決手段】  載置台２上の複数台の炊飯器Ｓに対して、前記洗米装置４が各炊飯器Ｓ上方の各排米位置に位置を変更することができるように、該洗米装置４を支持体３に平行リンク機構９を介して水平方向に揺動可能に支持する。【選択図】図１
2008264122.tif 000002
【特許請求の範囲】
【請求項１】
複数台の炊飯器（Ｓ）を載置可能な載置台（２）と、この載置台（２）から立設された支持体（３）と、この支持体（３）に支持されていて米を洗米して炊飯器（Ｓ）へ投入する洗米装置（４）とが備えられた洗米機において、
載置台（２）上の複数台の炊飯器（Ｓ）に対して、前記洗米装置（４）が各炊飯器（Ｓ）上方の各排米位置に位置を変更することができるように、該洗米装置（４）が支持体（３）に平行リンク機構（９）を介して水平方向に揺動可能に支持されていることを特徴とする洗米機。
【請求項２】
支持体（３）は載置台（２）の後部側に配置され、平行リンク機構（９）を構成する左右のリンク（４６Ｌ，４６Ｒ）の後端側の枢支部（４８）が支持体（３）に上下軸回りに回動自在に枢支され且つ該左右のリンク（４６Ｌ，４６Ｒ）の前端側の枢支部（４７）が洗米装置（４）の後面側に上下軸回りに回動自在に枢支されていて、載置台（２）上に配置された左右の炊飯器（Ｓ）に対して、洗米装置（４）が各炊飯器（Ｓ）上方の各排米位置に位置変更できるように該洗米装置（４）が前記左右のリンク（４６Ｌ，４６Ｒ）によって左右揺動自在に支持されていることを特徴とする請求項１に記載の洗米機。
【請求項３】
左右のリンク（４６Ｌ，４６Ｒ）の前端側の枢支部（４７）の間に、洗米装置（４）を左右一方の排米位置に移動させたときに左右一方側のリンク（４６Ｌ，４６Ｒ）に接当することにより洗米装置（４）の位置決めをするストッパ（６１）が設けられていることを特徴とする請求項２に記載の洗米機。
【請求項４】
前記洗米装置（４）と連通する給水ホース（１１）及び排水ホース（１２）が、平行リンク機構（９）の下方で支持体（３）内に挿通され且つ洗米装置（４）の左右揺動に追従するように構成されていることを特徴とする請求項１，２又は３に記載の洗米機。
【発明の詳細な説明】
【技術分野】
【０００１】
本発明は、１台の洗米装置から複数台の炊飯器に米を投入可能にした洗米機に関する。
【背景技術】
【０００２】
この種の従来技術においては、例えば、特許文献１に開示されているように、上下二段の載置台を設け、炊飯器２個或いは炊飯器１個と内釜１個或いは内釜２個の三種類の組み合わせの受入容器を搭載可能な架台を洗米手段の下方に複数設けて、洗浄した米と炊飯用水とを下段の容器に投入する時は移動可能な案内筒体を使用し、載置台も固定とスライドを備え、洗米手段、案内筒体及び載置台等の取付高さを調節可能とし、高さの異なる受入容器や載置台の組み合わせに対応して最適の高さに容易に切り換えることができ、洗米手段はパック米対応と自動計量給米対応を揃え、洗米手段を複数備えることを可能とするように各機能をユニット化し組合せにより種々のニーズに対応可能としている（公開公報要約）。
【特許文献１】特開平１０−２８６１７７公報
【発明の開示】
【発明が解決しようとする課題】
【０００３】
前記従来技術においては、洗米手段の下方の架台上に複数台の炊飯器に米を投入可能であるが、洗米手段が不動であるのに対して、炊飯器を洗米手段の直下へ出し入れするため、炊飯器が２個であっても出すための空間を２箇所に確保しなくてはならなく、広い占有面積を必要としている。
本発明は、このような従来技術の問題点を解決できるようにした洗米機を提供することを目的とする。
【課題を解決するための手段】
【０００４】
本発明が前記目的を達成するために講じた技術的手段は、複数台の炊飯器を載置可能な載置台と、この載置台から立設された支持体と、この支持体に支持されていて米を洗米して炊飯器へ投入する洗米装置とが備えられた洗米機において、
載置台上の複数台の炊飯器に対して、前記洗米装置が各炊飯器上方の各排米位置に位置を変更することができるように、該洗米装置が支持体に平行リンク機構を介して揺動可能に支持されていることを特徴とする。
また、支持体は載置台の後面側に配置され、平行リンク機構を構成する左右のリンクの後端側の枢支部が支持体に上下軸回りに回動自在に枢支され且つ該左右のリンクの前端側の枢支部が洗米装置側に上下軸回りに回動自在に枢支されていて、載置台上に配置された左右の炊飯器に対して、洗米装置が各炊飯器上方の各排米位置に位置変更できるように該洗米装置が前記左右のリンクによって左右揺動自在に支持されているのがよい。
【０００５】
また、左右のリンクの前端側の枢支部の間に、洗米装置を左右一方の排米位置に移動させたときに左右一方側のリンクに接当することにより洗米装置の位置決めをするストッパが設けられているのがよい。
また、前記洗米装置と連通する給水ホース及び排水ホースが、平行リンク機構の下方で支持体内に挿通され且つ洗米装置の左右揺動に追従するように構成されているのがよい。
【発明の効果】
【０００６】
本発明によれば、複数台の炊飯器を使用して洗米装置からの米を投入するのに、炊飯器配置空間以外に余分な空間を不要にでき、洗米機の占有面積を小さくできる。
【発明を実施するための最良の形態】
【０００７】
以下、本発明の実施の形態を図面に基づいて説明する。
図２〜４において、洗米機１は、米を洗米すると共にこの米を水加減水と共に排出するまでを自動で行う自動洗米機であり、パックに詰められた米を供給して洗米することを可能としたパック米対応機でもある。
洗米機１は大別して、炊飯器Ｓを載置する載置台２と、この載置台２から立設された支持体３と、この支持体３に支持されていて米を洗米して炊飯器Ｓへ投入する洗米装置４とが備えられている。
【０００８】
載置台２は２台の炊飯器Ｓを左右に並べて載置する載置部６と、この載置部６の背部で立ち上がっている衝立部７とを有する。
左側の炊飯器Ｓは、載置部６の上面に上下方向の軸心回りに回転自在に支持された回転テーブル８上に載置され、右側の炊飯器Ｓは載置部６の上面に単に載置されている。
前記炊飯器Ｓは、加熱部を備えかつ内釜を収納可能な本体Ｓ１と、この本体Ｓ１の上部周囲に枢着部Ｓ３を介して枢着されかつ蓋止め部Ｓ４を介して閉鎖される蓋体Ｓ２とを有し、本体Ｓ１の側面にはディスプレイ部Ｓ５が設けられている。
【０００９】
前記枢着部Ｓ３と蓋止め部Ｓ４とは本体Ｓ１の上部周囲に１８０度偏位した位置、即ち、反対位置に配置されており、ディスプレイ部Ｓ５は枢着部Ｓ３と蓋止め部Ｓ４との間の中央ではなく、蓋止め部Ｓ４寄りに配置されており、人が右手で蓋体Ｓ２を開閉する状態に炊飯器Ｓを配置したときにディスプレイ部Ｓ５が見易いようになっている。
載置台２上に載置された２台の炊飯器Ｓは、左右共に蓋止め部Ｓ４が載置台２の左右方向中央側に位置するように配置され、このように配置することにより、左右２台の炊飯器Ｓを同一のものを使用しても、開放した蓋体Ｓ２に洗米装置４が当たらないようにされている。
【００１０】
本実施の形態では炊飯器Ｓは左右同じものを使用しているので、該炊飯器Ｓのディスプレイ部Ｓ５は、右側の炊飯器Ｓにあっては正面側から見える位置に位置するが、左側の炊飯器Ｓにあっては背面側に位置していて、正面側からは見えない位置に位置しているが、本実施の形態では、左側の炊飯器Ｓは、回転テーブル８上に載置されているので、ディスプレイ部Ｓ５を操作する際には、ディスプレイ部Ｓ５が正面側に来るように該左側炊飯器Ｓを回転させることができる。
前記炊飯器Ｓとしては、本体Ｓ１に蓋体Ｓ２が着脱自在に設けられているものもある。そのような炊飯器Ｓを使用する場合は、蓋体Ｓ２と洗米装置４の干渉を考慮せずに配置することができ、左側の炊飯器Ｓを前記右側炊飯器Ｓのように、正面から見て、枢着部Ｓ３を右側に、ディスプレイ部Ｓ５を左側にして配置しておける。
【００１１】
前記支持体３は、前後方向に扁平な断面角筒形状に構成されていて載置部６の左右方向中央側であって且つ衝立部７の背面に配置され、該衝立部７から上方に突出するように立設されており、該支持体３の上部に平行リンク機構９を介して洗米装置４が左右揺動自在に支持されている。
前記左右の炊飯器Ｓは、この支持体３を境として左右に振り分け配置されている。
洗米装置４は、図１〜図５に示すように、洗米フレーム１１と、この洗米フレーム１１の上部に取付固定されたケース１２と、洗米フレーム１１に取付固定された洗米タンク１３と、洗米タンク１３内の米及び水を攪拌する撹拌手段１４とを備えている。
【００１２】
洗米フレーム１１は、左右一対の側枠材１５と、左右の側枠材１５を連結する上下一対の横枠材１６，１７と、左右の側枠材１５にわたって設けられた天板１８とを有し、左右の側枠材１５は上下方向の軸心を有する角筒体によって構成され、左側の側枠材１５が右側の側枠材１５よりも上下方向に長く形成され、天板１８は、その後部が左右の側枠材１５の上端に固着されていると共に、前部が左右の側枠材１５より前方に突出状とされている。
ケース１２は下方開口状に形成されていて、洗米フレーム１１の天板１８の上方空間を覆うように設けられていると共に天板１８に取付固定されている。
【００１３】
洗米タンク１３は、米及び水を収容しこれらを攪拌することによりこの米を洗米するためのタンク本体１９と、このタンク本体１９内の洗米水（研ぎ汁）の水面側の水や洗米水上に浮遊するゴミ等の不純物等を排水するためのオーバーフロー部２０と、タンク本体１９の下端側に設けられていてタンク本体１９の下端側から洗米水（研ぎ汁）を排水するための排水ジャケット２１とを備えている。
タンク本体１９は、上下端部が開口状とされており、下部は下端開口に向けて先細りの円錐形状に形成され、上部は該円錐部から上方に延出された円形状の筒状に形成されている。
【００１４】
また、タンク本体１９は、その上端開口前部が天板１８及びケース１２前面から前方にはみ出すように天板１８の下面側に配置され、その上端開口周縁に形成されたフランジが天板１８の下面に取付固定されている。
このタンク本体１９の前記円筒形部分の上側前部は、前方側に向けて膨出形成されている。
そして、タンク本体１９の上端開口部分の内、ケース１２前面から前方にはみ出た部分が、洗米タンク１３内に米を投入するための米投入口２２とされ、特にパック米の米を投入する場合にパック米の袋の口を米投入口２２からタンク本体１９内に挿入しやすいように構成され、この米投入口２２は合成樹脂製の蓋体２３によって開閉自在に閉塞されている。
【００１５】
オーバーフロー部２０はタンク本体１９の上部に開口形成されたオーバーフロー口を有する。
排水ジャケット２１はタンク本体１９とは別部品で構成されていて、取付金具でタンク本体１９の下端側に着脱自在に取り付けられており、その下面側に、洗米された米を排出する排米口２４が形成され、この排米口２４は円錐状の排米弁２５によって開閉自在に閉塞されている。
この排米弁２５はタンク本体１９の中心に上下方向に配置された弁棒２６の下端に固定されており、弁棒２６の上部は天板１８を貫通してケース１２内に挿入されると共に昇降手段によって昇降自在に支持され、弁棒２６を昇降することにより排米弁２５が上下動して排米口２４が開閉される。
【００１６】
なお、排米口２４は、洗米中は、排米弁２５により閉じられており、洗米した米を水加減水と共に排出するときに排米弁２５を下降させることで開かれる。
前記オーバーフロー部２０の下方側で且つ排水ジャケット２１の左斜め後方には、排水ボックス２７が配置され、該排水ボックス２７は左側枠材１５の下端側にステー等を介して取り付けられている。
この排水ボックス２７は、その上面側において縦配水管２８を介してオーバーフロー部２０と接続されると共に、その正面側において横配水管２９を介して排水ジャケット２１に接続されている。
【００１７】
なお、排水ジャケット２１内には、水及び不純物は通すが米は通さない分離板が設けられており、米が横配水管２９へとは流れないように構成されている。
また、排水ボックス２７内には、横排水管２９からの水を流入させる流入口を開閉自在に閉塞可能な開閉弁が設けられ、この開閉弁はスプリングによって開方向に付勢され、ケース１２内に設けられた排水モータ３１をＯＮさせることにより、引動部材３２を介して、排水ボックス２７の外側に設けられた外部レバー３３が上方に揺動され、この外部レバー３３の揺動に連動して排水ボックス２７の内側にある内部レバーが揺動し、この内部レバーの揺動によって開閉弁がスプリングの付勢力に抗して閉方向に押動され、該開閉弁によって横排水管２９からの水の流入口が塞がれるように構成されている。
【００１８】
また、排水モータ３１をＯＦＦすることにより、スプリングの付勢力によって開閉弁が開方向に動かされて横排水管２９からの水を流入させる流入口が開放される。
また、排水ボックス２７は、その右側面に排水ホース３０の一端側が接続され、この排水ホース３０は後方に向けて配設されていると共に、該排水ホース３０の他端側は前記支持体３内に挿入されてステーを介して支持体３によって支持されていて、洗米装置４の左右方向の揺動動作に追従するように構成されている。
なお、排水ホース３０の前端側は左側の側枠材１５から延出されたステー３４によって支持され、このステー３４は、支持体３４から延出された支持部材３５によって支持され、支持部材３５は、洗米装置４の左右揺動動作に追従するように、支持体３４に左右揺動自在に支持されていると共にステー３４に対して長手方向に相対移動自在に連結されている。
【００１９】
前記排水ホース３０の他端側は、下方に向けて指向されていると共に排水を排水路等に案内する排水管路に接続されている。
撹拌手段１４は棒材によって主構成され、ケース１２内に設けられた洗米モータによって上下方向の軸心回りに回転駆動されることにより、洗米タンク１３内の米及び水を撹拌する。
洗米タンク１３に水を供給する給水系統は、洗米装置４背面と支持体３前面上部との間に配置された給水ホース３６と、この給水ホース３６の前端側と洗米フレーム１１の天板１８との間に配設された外部の給水管路３７と、ケース１２内に配設された内部の給水管路３８とを有する。
【００２０】
給水ホース３６の前端側は下側の横枠材１７に固定されたステー３９に取り付けられ、給水ホース３６の後端側は支持体３前面上部に取り付けられていて、該給水ホース３６は、洗米装置４の左右揺動動作に追従する。
また、給水ホース３６の後端側には、支持体３内に配置された給水管に接続され、該給水管は水道等の給水源に接続されている。
外部の給水管路３７は、止水栓を有すると共に、一端側が給水ホースに接続され、他端側が内部の給水管路３８に接続されている。
【００２１】
内部の給水管路３９は、天板の下面側に設けられた散水部材４０に接続され、水道水等の水が散水部材４０を介して洗米タンク１３内にシャワー状に散水されて供給されるよう構成されている。
なお、内部の給水管路３８には、流量計や、該給水管路３８を開通・遮断する電磁開閉弁が設けられ、洗米機１を制御する制御装置４２によって所望量の水がタンク本体１９内に供給されるように構成されている。
洗米機１を制御する制御装置４２はケース１２内に設けられ、ケース１２の前面側には、コントロールパネル４３が設けられ、このコントロールパネル４３によって、洗米量（洗米タンク１３に投入する米の量）、洗い方（軽く〜念入り）等の洗米条件を設定でき、この設定された洗米条件が前記制御装置４２に入力され、この設定条件により米が洗米されるように構成されている。
【００２２】
洗米装置４を支持する平行リンク機構９は、左右一対のリンク４６Ｌ，４６Ｒと、各リンク４６Ｌ，４６Ｒの前後端部に設けられた前後の枢支部４７，４８と、リンク４６Ｌ，４６Ｒの前側の枢支部４７を洗米装置４に対して枢支する前枢軸４９と、リンクの後側の枢支部４８を支持体３に対して枢支する後枢軸５０とを有する。
図６に示すように、洗米フレーム１１の上横枠材１６は左右の側枠材１５を連結する前壁５１と、この前壁５１の上端から後方に延出された上壁５２とを有し、下横枠材１７は、左右の側枠材１５を連結する前壁５３と、この前壁５３の下端から後方に延出された下壁５４とを有し、上横枠材１６の前壁５１は左右の側枠材１５に溶接等によって固着され、下横枠材１７の前壁５３は左右の側枠材１５の後面にボルト等によって着脱自在に固定されている。
【００２３】
左右の前枢軸４９は上下方向の軸心を有し、上横枠材１６の上壁５２と下横枠材１７の下壁５４とに亘るように設けられている。
左右の前側枢支部４７は上下方向の軸心を有する円筒状に形成されていて、左右方向で同じ側にある前枢軸４９に上下方向の軸心回りに回動自在に外嵌されている。
前枢軸４９の上下には、鍔付きのブッシュ５５が外嵌されている。
また、支持体３の上部には取付部材５６が設けられており、この取付部材５６は、支持体３の上部背面にボルトによって着脱自在に取り付けられ且つ支持体３から上方に突出する背面壁５７と、この背面壁５７の上端から前方に延出されていて支持体３の上部壁５８と対向配置された上部壁５９とを有する。
【００２４】
左右の後枢軸５０は上下方向の軸心を有し、取付部材５６の上部壁５９と支持体３の上部壁５８とに亘るように設けられている。
左右の後側枢支部４８は上下方向の軸心を有する円筒状に形成されていて、左右方向で同じ側にある後枢軸５０に上下方向の軸心回りに回動自在に外嵌されている。
後枢軸５０の上下には、鍔付きのブッシュ６０が外嵌されている。
洗米装置４は前述した構成によって、洗米装置４が左右方向（水平方向）に揺動自在に支持されており、載置台２上の左右の炊飯器Ｓに対して、前記洗米装置４が各炊飯器Ｓ上方の各排米位置に位置を変更することができるように構成されている。
【００２５】
また、左右の前側枢支部４７の左右方向中央部にはストッパ６１が配置されており、このストッパ６１は外形が円柱状の部材によって形成され、上横枠材１６上壁５２と下横枠材１７の下壁５４間に、軸心が上下方向に一致されて設けられている。
したがって、洗米装置４を右側の排米位置に位置させたときには、右側のリンク４６Ｒがストッパ６１に接当することにより洗米装置４が右側の排米位置に位置決めされ、洗米装置４を左側の排米位置に位置させたときには、左側のリンク４６Ｌがストッパ６１に接当することにより、洗米装置４が左側の排米位置に位置決めされるようになっている。
【００２６】
また、前記取付部材５６の上部壁５９の左右方向中央部には、前方に向けて延出する取付壁６２が形成され、この取付壁６２には、位置決め部材６３が取り付けられている。
位置決め部材６３は、上下方向の軸心を有する筒状のホルダ６４と、このホルダ６４の下端開口から一部が出退自在に突出し且つホルダ６４の下端開口から抜けないように保持された位置決めボール６５と、ホルダ６４内に収納されていて位置決めボール６５を下方に向けて付勢するスプリング（図示省略）とを有する。
ホルダ６４の外周面には雄ネジが形成され、該雄ネジが、取付壁６２の上面に固着された取付ナット６６に螺合されていると共に、該取付ナット６６の上側に配置されたロックナット６７が雄ネジに螺合されることで、ホルダ６４（位置決め部材６３）が取付壁６２に取り付られている
また、ホルダ６４は取付壁６２を貫通して下方に突出している。
【００２７】
また、左右の各リンク４６Ｌ，４６Ｒの上面には、洗米装置４が左右一方の排米位置に位置したときに、位置決めボール６５が嵌り込んで洗米装置４を該位置に位置決めする凹部６８が形成されている。
なお、洗米装置４を一方の排米位置から他方の排米位置に移動させる時には、位置決めボール６５がスプリングの付勢力に抗して凹部６８から離脱するように、洗米装置４を強制的に揺動させればよい。
また、本実施の形態では、前記給水ホース３６及び排水ホース３０は、平行リンク機構９の下方に配置され、図２に示すように、左右のリンク４６Ｌ，４６Ｒを左右方向で平行状にした場合に、左右リンク４６Ｌ，４６Ｒの左右方向中央部に対応する位置に配置されている。
【００２８】
洗米装置４を支持体３に左右揺動自在に支持する場合、１本の回動アームの前端側を洗米装置４の背面側に固定し、該回動アームの後端側を支持体３の上部に上下方向の軸心回りに回動自在に枢支することが考えられるが、この場合、洗米装置４が回動アームの後端側の枢支部回りに左右揺動することになるので、洗米装置４を左右に揺動させた場合、洗米装置４の正面が、右斜め前方又は左斜め前方を向くこととなるが、本実施の形態では、洗米装置４を左右に揺動させても、洗米装置４の正面は、常に前方を向くこととなり、洗米タンク１３に米を投入する場合やコントロールパネル４３を操作する場合に、洗米装置４の正面が前方を向く位置に該洗米装置４を位置変更させたりする必要がないという効果を奏する。
【００２９】
また、洗米機１は本実施の形態のものに限定されることはなく、例えば、図５に示すように、炊飯器Ｓからの熱（及び蒸気）を遮断する遮熱板６９を設けてもよい。
この遮熱板６９は鉄板又は樹脂板等で形成され、排水ジャケット２１の下端側に着脱自在に取り付けられるのが好ましい。
また、この遮熱板６９を水平方向に対して傾斜させて、遮熱板６９の下面側に付着する露を一カ所に集めるようにしてもよい。
また、洗米装置４が左右の排米位置に位置しているか否かを検出する排米センサと、炊飯器Ｓの蓋体Ｓ２が開いているか否かを検出する蓋センサと、内釜が挿入されているか否かを検出する内釜センサとを設け、洗米装置４が排米位置に位置し且つ排米位置にある洗米装置４の下方の炊飯器Ｓの蓋体Ｓ２が開いており且つ該炊飯器Ｓの内釜が挿入されていることが検出されている場合に、洗米後の米が水加減水と共に排出されるように制御してもよい。
【００３０】
この場合、これらの条件が１つでも満足していない場合、洗米後の米が排出されるのを停止すると共に、ランプ，ブザー等の警告手段によって警告するように構成するのがよい。
また、載置台２に水道の蛇口を設け、これを清掃等に使用するようにしてもよい。
また、載置台２自体又は載置部６のみを、高さ調整可能としてもよい。
炊飯器Ｓの内釜を取り出すための内釜取出し具を収納する収納部を載置台２に設けてもよい。
【００３１】
本実施の形態では、炊飯器Ｓを左右一対設ける場合を例示したが、炊飯器を３つ以上設けてもよい。
【図面の簡単な説明】
【００３２】
【図１】洗米装置が左右に揺動した状態を示す平面図である。
【図２】洗米機の平面図である。
【図３】洗米機の正面図である。
【図４】洗米機の側面図である。
【図５】洗米装置の側面断面図である。
【図６】洗米装置の支持部分の側面断面図である。
【符号の説明】
【００３３】
２    載置台
３    支持体
４    洗米装置
９    平行リンク機構
１１    給水ホース
１２    排水ホース
４６Ｌ  リンク
４６Ｒ  リンク
４７    枢支部
４８    枢支部
６１    ストッパ
Ｓ    炊飯器
【図１】
2008264122.tif 000003
【図２】
2008264122.tif 000004
【図３】
2008264122.tif 000005
【図４】
2008264122.tif 000006
【図５】
2008264122.tif 000007
【図６】
2008264122.tif 000008